(57)【要約】【課題】立ち木の枝打ち等の樹上での作業を行う際に、２個のステップを付け替えながら昇降することができ、且つ、樹上で安全ベルトのロープを外す必要がない樹上作業用昇降具を提供する。【解決手段】ロープ梯子３，４を取り付けた２個のステップ１，２を、Ｄ環６を取り付けたスリング５で繋いで一体の樹上作業用昇降具とする。この樹上作業用昇降具は、２個のステップ１，２を７０〜１００cmの間隔で樹木の幹に取り付ける。そして、安全ベルト２０の命綱ロープ２１先端のフック２２をＤ環６に引っ掛けて作業を行い、２個のステープ１，２を順次上下に付け替えながら昇降する。【選択図】図１
2019129936.tif 000002
【特許請求の範囲】
【請求項１】
樹上での作業に使用する昇降具であって、樹木の幹に巻き付けて締付固定する締付部材を備えた単体足場用の２個のステップのそれぞれに３〜４段の非剛性梯子を取り付けるとともに、作業者が装着する安全ベルトの命綱ロープを接続可能な金属製の接続具を滑動自在に取り付けた長さ７０〜２００ｃｍの非剛性吊り下げ具の一端に一方のステップを連結し、該非剛性吊り下げ具の他端に他方のステップを連結して成ることを特徴とする樹上作業用昇降具。
【請求項２】
前記ステップは足載部を構成するステップ本体に締付ベルトが装着されたものであり、前記非剛性梯子はロープ梯子であり、前記非剛性吊り下げ具は両端アイ形のスリングであり、前記接続具は前記安全ベルトの命綱ロープ先端のフックを引っ掛けるＤ環であり、前記スリングを前記Ｄ環に通し、スリング一端側のアイを一方のステップの締付ベルトに接続し、スリング他端側のアイを他方のステップの締付ベルトに接続して成ることを特徴とする請求項１に記載の樹上作業用昇降具。
【発明の詳細な説明】
【技術分野】
【０００１】
本発明は、樹上で立ち木の枝打ち、枝払い、刈り込み、剪定等の作業を行う際に使用する樹上作業用昇降具に関する。
【背景技術】
【０００２】
樹上での立ち木の枝打ちや、枝払い、刈り込み、剪定等の作業を行う際の昇降具として、樹木に取り付けるためのロープ又はベルトを備えたステップ（単体足場）を用いることや、作業者が装着した安全ベルトのロープを樹木の幹を抱き込んで固定し体勢を保持しながら木に登ることは従来から知られている（例えば、特許文献１参照。）。また、それとは別に、昇降具として用いるステップに縄梯子を取り付けることも従来から知られている（例えば、特許文献２参照。）。
【０００３】
しかしながら、これら従来の技術は、ステップ（単体足場）を多数用意し、それらを下から上へ順次取り付けながら木に登り、作業が終われば上から順にステップを取り外すというものであって、昇る高さ分の段数のステップが必要で、そのため、高く登るには昇降具の部材点数が多くなり、その分、嵩だかとなり、重くなり、作業現場への運搬や現場での取扱いが容易でなくなる。
【０００４】
また、従来の技術では、安全ベルトは、通常、ロープを樹木の幹を抱き込んで固定するため、樹木の幹に沿って昇降するに際し、途中の切り落とさないで残す枝をやり過ごすために、その都度安全ベルトのロープを外して締め直す必要があり、安全ベルトによる墜落防止の機能に途切れができる。
【０００５】
ステップに縄梯子を取り付けた昇降具の場合は、縄梯子を利用すれば、２個のステップの一方を取り外して上段側あるいは下段側に付け替えるようにすることも不可能でなく、そうすればステップは２個で足りるとも考えられるが、その場合でも、従来の技術では、安全ベルトは、ロープを樹木の幹を抱き込んで固定するため、上段側あるいは下段側のステップに移行する際には、その都度安全ベルトのロープを緩めたり木から外して締め直す必要があり、その間、墜落防止の機能が途切れる。
【先行技術文献】
【特許文献】
【０００６】
【特許文献１】特開２０１２−２００３７５号公報
【特許文献２】実開平６−５６４９８号公報
【発明の概要】
【発明が解決しようとする課題】
【０００７】
したがって、樹上作業用昇降具を、部材点数が少なく、軽量コンパクトで、運搬並びに取扱いが容易であり、且つ、昇降に際して樹上で安全ベルトのロープを外して締め直す必要がなく、墜落防止の機能に途切れができないものとすることが課題である。本発明はこうした課題の解決を目的とする。
【課題を解決するための手段】
【０００８】
本発明の樹上作業用昇降具は、樹上での枝打ち、枝払い、刈り込み、剪定等の作業に使用する昇降具であって、樹木の幹に巻き付けて締め付け固定する締付部材を備えた単体足場用の２個のステップと、２本の３〜４段の非剛性梯子と、長さ７０〜２００ｃｍの非剛性吊り下げ具と、作業者装着用の安全ベルトの命綱ロープを接続可能な金属製の接続具を使用する。
【０００９】
２個のステップはそれぞれが、例えば、左右一対の足載部を樹木の幹に沿って開き角度が変わるよう蝶番連結して成るステップ本体（足載部を構成するステップ本体）に、締付ベルト（締付部材）が装着されたもので、２個のステップのそれぞれに、好ましくはステップ本体の部分に、非剛性梯子を取り付ける。非剛性梯子は、好ましくはロープ梯子で、例えば、２本のロープを３段あるいは４段で全長が１２０〜１５０ｃｍの縄梯子の形に編んだものである。
【００１０】
非剛性吊り下げ具は、好ましくは、玉掛け作業に使用される両端アイ形のスリングで、長さ約１ｍのスリングが最適であり、また、接続具は、安全ベルトの命綱ロープ先端のフックを引っ掛けるもので、好ましくは、Ｄ環であって、非剛性吊り下げ具（スリング）に滑動自在に取り付ける。
【００１１】
そして、接続具（Ｄ環）が取り付けられた非剛性吊り下げ具（スリング）の一端に一方のステップを連結し、その非剛性吊り下げ具（スリング）の他端に他方のステップを連結する。より具体的には、例えば、スリングをＤ環に通して、スリング一端側のアイを一方のステップの締付ベルトに接続し、スリング他端側のアイを他方のステップの締付ベルトに接続する。
【００１２】
こうして、非剛性梯子（ロープ梯子）を取り付けた２個のステップを、安全ベルト用の接続具（Ｄ環）を取り付けた非剛性吊り下げ具（スリング）で繋いで一体の樹上作業用昇降具とする。
【００１３】
この樹上作業用昇降具は、使用に際し、まず、２個のステップのうちの一方のステップを地面から例えば７０〜１００cmの高さで樹木の幹にあてがって締付部材（ベルト）で取り付ける。そして、作業者が身に付けた安全ベルトの命綱ロープ先端のフックを非剛性吊り下げ具（スリング）の接続具（Ｄ環）に取り付ける。そして、ロープ梯子を利用してそのステップに上り、他方のステップを持ち上げて、さらに７０〜１００cmほど高い位置に他方のステップを取り付ける。最初に取り付けた下側のステップを足場としてできる枝打ち等の作業は、この状態で下側のステップの上に足を載せて行う。
【００１４】
そして、さらに上へ昇るときは、上側のステップの非剛性梯子（ロープ梯子）の上から３段目または４段目まで下りて、下側のステップを取り外す。そして、そのステップを持って上側のステップまで上り、持ち上げたステップを足を載せているステップよりさらに７０〜１００cmほど上に取り付ける。こうして２個のステップの一方を取り外して上側に付け替える動作を繰り返して必要な高さまで昇る。
【００１５】
また、木を降りるときは、下側のステップを足場として上側のステップを取り外し、下側のステップのロープ梯子の上から３段目または４段目まで下りて、下側のステップよりもさらに下側へ７０〜１００cmほど下がった位置に取り付ける。こうして２個のステップの一方を取り外して下側に付け替える動作を、地面に立って取り外せる位置に下りるまで繰り返す。
【００１６】
こうして２個のステップの一方を取り外して上段側あるいは下段側に付け替える動作を繰り返すことで、高い樹木でも容易に昇り降りできる。しかも、途中、切り落とさずに残す枝があっても、安全ベルトの命綱ロープは非剛性吊り下げ具（スリング）の接続具（Ｄ環）に取り付けたまま昇り降りできる。
【００１７】
この樹上作業用昇降具は、足場用に用いるステップが２個だけで、それら２個のステップと、２本の非剛性梯子（ロープ梯子）と、１本の非剛性吊り下げ具（スリング）と、１個の接続具（Ｄ環）とで構成されるため、部材点数が少なく、軽量コンパクトで、人が一人で楽に持ち運びできる。そのため、運搬が容易で、車で近づけない場所へも容易に持ち込める。そして、取扱いが容易で、樹木への取り付け、付け替え等も容易である。しかも、木に登ってから降りるまで、安全ベルトの命綱ロープを外して締め直す必要がなく、墜落防止の機能に途切れが生じない。
【発明の効果】
【００１８】
以上の説明で明らかなように、本発明の樹上作業用昇降具は、２個のステップを樹上で順次取り外して上段側あるいは下段側に付け替えながら昇降することができて、部材点数が少なく、軽量コンパクトで、運搬並びに取扱いが容易であり、しかも、昇降に際して樹上で安全ベルトのロープを外して締め直す必要がなく、墜落防止の機能に途切れが生じない。
【図面の簡単な説明】
【００１９】
【図１】本発明の実施形態の一例に係る樹上作業用昇降具の全体図である。
【図２】図１に示す樹上作業用昇降具の使用態様の説明図である。
【発明を実施するための形態】
【００２０】
図１は本発明の実施形態の一例を示している。この実施形態の樹上作業用昇降具は、単体足場用の２個のステップ１，２と、それらステップ１，２に取り付けるロープ梯子３，４と、玉掛け作業用のスリング５と、スリング５に取り付ける金属製のＤ環６とで構成される。
【００２１】
２個のステップ１，２は、同じもので、図示の例では、蝶番連結されたアルミ合金製の左右一対の足載部７a，７b；８a，８bから成るステップ本体７，８を、締付ベルト９，１０によって樹木の幹に巻き付けて締付固定するよう構成されている。
【００２２】
ロープ梯子３，４は、先端部をステップ本体７，８のそれぞれの左右一対の足載部７a，７b；８a，８ｂの外側壁に設けられたロープ穴１１，１２に通して結び止めした２本のロープを、３段で全長が約１２０ｃｍの縄梯子の形に編んだものである。
【００２３】
スリング５は、玉掛け作業用の長さ約１ｍの両端アイ形スリングである。このスリング５をＤ環６に通して、Ｄ環６を滑動自在に保持する。
【００２４】
そして、そのＤ環６を取り付けたスリング５の一端側のアイ１３に一方のステップ１の締付ベルト９を通してバックル１１で固定し、スリング５の他端側のアイ１４に他方のステップ２の締付ベルト１０を通してバックル１１で固定することにより、スリング６を介して２個のステップ１、２を連結する。こうして、ロープ梯子３，４を取り付けた２個のステップ１，２を、Ｄ環６を取り付けたスリング５で一体に繋いだものが、図１に示す実施形態の樹上作業用昇降具である。
【００２５】
この樹上作業用昇降具は、図２に示すように、２個のステープ１，２を上下に例えば７０〜８０ｃｍ程度の間隔を置いて樹木Ｔの幹に取り付ける。そして、作業者Ｍが安全ベルト２０に連結された命綱ロープ２１の先端のフック２２をＤ環６に掛け止めて作業を行う。また、２個のステープ１，２を順次上下に付け替えながら昇降する。
【００２６】
この樹上作業用昇降具は、樹上での枝打ち、枝払い、刈り込み、剪定等の作業に使用する際に、まず、２個のステップ１，２の内の一方、例えばステップ２を、地面から例えば７０〜８０ｃｍほどの高さで樹木Ｍの幹にあてがって締付ベルト１０を締め付けて固定する。そして、作業者Ｍの胴に巻いた安全ベルト２０に連結された命綱ロープ２１の先端のフック２２をＤ環６に引っ掛けて止める。そして、ロープ梯子４を利用してステップ２に上り、他方のステップ１を持ち上げて、ステップ２より７０〜８０cmほど高い位置に取り付ける。低い位置での枝打ち等の作業は、この状態で下側のステップ２に足を載せて行うことができる。
【００２７】
そして、さらに上へ昇るときは、図２に仮想線（２点鎖線）で示すように、上側のステップ１のロープ梯子３を上から３段目（最下段）まで下りて、下側のステップ２を取り外す。そして、その取り外したステップ２を持って上側のステップ１に上り、そのステップ１よりさらに７０〜８０cmほど高い位置にステップ２を取り付ける。こうして２個のステップ１，２の一方を取り外して上側に付け替える動作を繰り返すことにより必要な高さまで昇ることができる。
【００２８】
また、木を降りるときは、下側のステップ２を足場として上側のステップ１を取り外し、下側のステップ２のロープ梯子４の上から３段目（最下段）まで下りて、さらに下側へ７０〜８０cmほど下がった位置に取り付ける。こうした２個のステップ１，２の一方を取り外して下側に付け替える動作を、地面に立って取り外せる位置に下りるまで繰り返す。
【００２９】
こうして２個のステップ１，２の一方を取り外して上段側あるいは下段側に付け替える動作を繰り返すことで、高い樹木でも容易に昇り降りできる。しかも、安全ベルト２０の命綱ロープ２１はスリング５上を滑動自在なＤ環６に取り付けたままでよく、切り落とさない枝があってもやり過して昇り降りできる。
【００３０】
この樹上作業用昇降具は、足場用に２個のステップ１，２を用いるだけで、それら２個のステップ１，２と、２本のロープ梯子３，４と、１本のスリング５と、１個のＤ環６とで構成されるため、部材点数が少なく、軽量コンパクトで、人が一人で軽々と持ち運びできる。そのため、運搬が容易で、車で近づけない場所へも容易に持ち込め、また、取扱いが容易で、樹木への取り付け、付け替え等も容易である。しかも、木に登ってから降りるまで、安全ベルト２０の命綱ロープ２１を外して締め直す必要がなく、墜落防止の機能に途切れが生じない。
【００３１】
使用するステップは、図示の例に限られるものではなく、単体足場として機能する様々な構造および材質のステップを使用できる。また、ステップを固定する締付部材は、ベルトが好適であるが、それに限られるものではなく、ロープ等の他の手段を使用することも可能である。
【００３２】
また、ロープ梯子は、図示のものが好適であるが、それ以外にも、剛性のある板等を踏み段としてロープで連結した梯子（これも全体としては非剛性のロープ梯子である）や、ベルトを用いた梯子等、様々な非剛性梯子を利用することも可能である。これらロープ梯子あるいは他の非剛性梯子は、段数が３〜４段で全長が１２０〜１５０ｃｍであるのが好適である。
【００３３】
また、２個のステップを連結する手段は、玉掛け作業用の長さ約１ｍの両端アイ形スリングが好適であるが、両端アイ形以外のスリングを使用することも可能であり、他にも、長さ７０〜２００ｃｍほどのロープあるいはベルトであって非剛性吊り下げ具として機能するものであれば使用可能である。
【００３４】
また、安全ベルトの命綱ロープ先端のフックを引っ掛けて固定する金具は、Ｄ環が好適であるが、Ｄ環以外の接続具を使用することも可能である。
【００３５】
本発明はその他様々な態様で実施することができる。
【符号の説明】
【００３６】
１，２  ステップ
３，４  ロープ梯子
５  スリング
６  Ｄ環
７，８  ステップ本体
７a，７b，８a，８ｂ  足載部
９，１０  締付ベルト
１１，１２  ロープ穴
１３，１４  アイ
Ｔ  樹木
Ｍ  作業者
【図１】
2019129936.tif 000003
【図２】
2019129936.tif 000004